(57)【要約】【課題】ユーザの利便性を損なうことなく、消費電力も抑えることができる画像読取り装置を提供する。【解決手段】原稿トレイ１に原稿が載置されているか否かを検出する原稿検出センサ１１と、原稿検出センサ１１によって原稿が載置されていることが検出された場合に、シェーディングデータを作成するための白基準板を読取るスキャナ部１３ａと、スキャナ部１３ａによって読取られた白基準板からシェーディングデータを作成するシェーディングデータ作成部１３ｂと，シェーディングデータ作成部１３ｂが作成したシェーディングデータを記憶する不揮発性メモリ１４と、シェーディングデータが不揮発性メモリ１４に記憶された後、所定時間経過した場合、少なくとも画像処理部１３への電源をオフする電源制御手段として機能するＣＰＵ１５とを備える。【選択図】図１
2016032231.tif 000002
【特許請求の範囲】
【請求項１】
原稿トレイに原稿が載置されているか否かを検出する原稿検出手段と、
前記原稿検出手段によって原稿が載置されていることが検出された場合に、シェーディングデータを作成するための白基準板を読取る画像読取り手段と、
前記画像読取り手段によって読取られた前記白基準板からシェーディングデータを作成する画像処理手段と、
前記画像処理手段によって作成されたシェーディングデータを記憶する不揮発性メモリと、
前記画像処理手段によってシェーディングデータが前記不揮発性メモリに記憶された後、所定時間経過した場合、少なくとも前記画像処理手段への電源をオフするスリープ状態に移行させる制御手段と、
を備えたことを特徴とする画像読取り装置。
【請求項２】
さらに、操作パネルの製版スタートスイッチの押下操作により製版処理を実行する印刷装置が接続されており、
前記制御手段は、
前記画像処理手段によってシェーディングデータが前記不揮発性メモリに記憶された後、前記原稿トレイから原稿が取り除かれず、かつ、前記製版スタートスイッチが押下操作されずに所定時間が経過した場合、少なくとも前記画像処理手段への電源をオフするスリープ状態に移行させる一方、
前記画像処理手段によってシェーディングデータが前記不揮発性メモリに記憶された後、前記原稿トレイから原稿が取り除かれず、かつ、前記製版スタートスイッチが押下操作された場合に、前記不揮発性メモリに記憶されたシェーディングデータに基づいて原稿の画像データに対しシェーディング補正を実行させ、シェーディング補正された原稿の画像データに基づいて前記印刷装置に製版処理を実行させる
ことを特徴とする請求項１に記載の画像読取り装置。
【発明の詳細な説明】
【技術分野】
【０００１】
本発明は、原稿読取り時の省電力機能を図ることができると共に、省電力時から復帰の際に必要な処理を迅速に行うことができる画像読取り装置に関する。
【背景技術】
【０００２】
画像読取り装置では、光源ランプの光量不均一や経時変化、画像センサの素子毎の感度バラツキ、温度上昇による黒レベルおよび白レベルの変化などの画像データへの影響を抑制するため、シェーディング補正を行っている。そのため、原稿を読取ってマスタ（原版）を製版し、そのマスタに基づいて印刷を行う孔版印刷装置でも、画像読取り装置が白基準板をスキャンしてシェーディング補正のためのシェーディングデータを作成して保存しておき、製版処理時に原稿から読み取った画像データに対しシェーディング補正を行う。そしてシェーディング補正した画像データに基づいてサーマルヘッドが製版動作を実行してマスタを作成し、マスタに基づいて孔版印刷を行っている（例えば、特許文献１参照。）。
【先行技術文献】
【特許文献】
【０００３】
【特許文献１】特開２０１３−０１４０１０号公報
【発明の概要】
【発明が解決しようとする課題】
【０００４】
しかし、上述の画像読取り装置では、原稿を原稿トレイにセットすると、原稿を引き込んだ上でスキャナ部が原稿から画像情報を読取り、読取った画像データに対してシェーディング補正を実施するため、この状態でユーザから製版スタートの指示がない場合、製版処理が実行されず、スキャナ部等の電源がオンのまま、すなわち無駄な消費電力を消費した状態で待機する、という問題がある。
【０００５】
その一方、消費電力抑制のために画像読取り装置への電源をオフしてスリープ状態に移行させると、保存しておいたシェーディングデータを失ってしまい、再度シェーディングデータを作成する必要が生じ、ユーザの利便性を損なう、という新たな問題を生じる。
【０００６】
本発明は、このような課題に鑑みてなされたものであり、ユーザの利便性を損なうことなく、消費電力も抑えることができる画像読取り装置を提供することを目的とする。
【課題を解決するための手段】
【０００７】
上記目的を達成するため、本発明に係る画像読取り装置の第１の特徴は、原稿トレイに原稿が載置されているか否かを検出する原稿検出手段と、前記原稿検出手段によって原稿が載置されていることが検出された場合に、シェーディングデータを作成するための白基準板を読取る画像読取り手段と、前記画像読取り手段によって読取られた前記白基準板からシェーディングデータを作成する画像処理手段と、前記画像処理手段によって作成されたシェーディングデータを記憶する不揮発性メモリと、前記画像処理手段によってシェーディングデータが前記不揮発性メモリに記憶された後、所定時間経過した場合、少なくとも前記画像処理手段への電源をオフするスリープ状態に移行させる電源制御手段と、を備えたことにある。
【０００８】
本発明に係る画像読取り装置の第２の特徴は、さらに、操作パネルの製版スタートスイッチの押下操作により製版処理を実行する印刷装置が接続されており、前記制御手段は、前記画像処理手段によってシェーディングデータが前記不揮発性メモリに記憶された後、前記原稿トレイから原稿が取り除かれず、かつ、前記製版スタートスイッチが押下操作されずに所定時間が経過した場合、少なくとも前記画像処理手段への電源をオフするスリープ状態に移行させる一方、前記画像処理手段によってシェーディングデータが前記不揮発性メモリに記憶された後、前記原稿トレイから原稿が取り除かれず、かつ、前記製版スタートスイッチが押下操作された場合に、前記不揮発性メモリに記憶されたシェーディングデータに基づいて原稿の画像データに対しシェーディング補正を実行させ、シェーディング補正された原稿の画像データに基づいて前記印刷装置に製版処理を実行させることにある。
【発明の効果】
【０００９】
本発明に係る画像読取り装置の第１の特徴によれば、原稿トレイに原稿が載置されると、白基準板を読取ってシェーディングデータを作成して不揮発性メモリに記憶し、その時点から所定時間経過した際に画像処理手段への電源をオフしてスリープ状態に移行させる。そのため、画像処理手段の電源をオフするスリープ状態に移行しても、シェーディングデータは消去されないので、スリープ状態からの復帰後、そのシェーディングデータを活用することができる。その結果、ユーザの利便性を損なうことなく、消費電力も抑えることができる。
【００１０】
本発明に係る画像読取り装置の第２の特徴によれば、画像処理手段によってシェーディングデータが不揮発性メモリに記憶された後、原稿トレイから原稿が取り除かれず、かつ、製版スタートスイッチが押下操作されずに所定時間が経過した場合、少なくとも画像処理手段への電源をオフするスリープ状態に移行させる一方、画像処理手段によってシェーディングデータが不揮発性メモリに記憶された後、原稿トレイから原稿が取り除かれず、かつ、製版スタートスイッチが押下操作された場合に、不揮発性メモリに記憶されたシェーディングデータに基づいて原稿の画像データに対しシェーディング補正を実行し、シェーディング補正された原稿の画像データに基づいて印刷装置に製版処理を実行させる。そのため、スリープ状態によって例えば消費電力の大きい画像読取り手段などへ電力が供給されなくなるので、省電力を図ることができる。また、画像処理手段の電源をオフしても、シェーディングデータは消去されずに不揮発性メモリに記憶されているので、スリープ状態からの復帰後、すぐに不揮発性メモリに記憶されたシェーディングデータに基づいて原稿の画像データに対しシェーディング補正を実行させることができる。
【図面の簡単な説明】
【００１１】
【図１】本発明に係る実施例の画像読取り装置を画像読取り装置として備えた孔版印刷装置の概略構成図である。
【図２】本発明に係る実施例の画像読取り装置の動作を示すフローチャートである。
【図３】図２のステップＳ１１７においてＹＥＳと判定された以降のスリープ状態の処理を示すフローチャートである。
【発明を実施するための形態】
【００１２】
以下、本発明に係る実施例の画像読取り装置について説明する。なお、以下に示す各実施例は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１３】
（画像読取り装置の構成）
図１は、本発明に係る実施例の画像読取り装置を備えた孔版印刷装置の概略構成図である。
【００１４】
図１に示すように、本発明に係る実施例の画像読取り装置１は、操作パネル２を有する孔版印刷装置３に設けられている。
【００１５】
画像読取り装置１は、原稿トレイ１１と、原稿検出センサ１２と、画像処理部１３と、不揮発性メモリ１４と、ＣＰＵ１５と、メインメモリ１６と、プログラムメモリ１７等を備えている。
【００１６】
原稿トレイ１１は、読み取られる原稿が載置される載置台である。
【００１７】
原稿検出センサ１２は、常時、原稿トレイ１１に原稿が載置されているか否かを検出するものであり、その検出結果をＣＰＵ１５や画像処理部１３等に出力する。なお、原稿検出センサ１２は、後述する装置全体スリープ状態に至っても電源オン状態を維持しており原稿トレイ１１に原稿が載置されているか否かを検出する。
【００１８】
画像処理部１３は、スキャナ部１３ａと、シェーディングデータ作成部１３ｂ等を備え、シェーディングデータを作成すると共に、シェーディングデータに基づいてシェーディング補正を実行する。
【００１９】
スキャナ部１３ａは、ＣＩＳ（Contact Image Sensor）やＣＣＤ（Charge Coupled Devices）イメージセンサ等の画像センサ１３ａ１と、画像センサ１３ａ１が読取ったアナログの画像信号をデジタルの画像信号（画像データ）に変換するＡ／Ｄ変換部１３ａ２等を備え、原稿検出センサ１２によって原稿トレイ１１に原稿が置かれたことが検出されると、シェーディングデータ作成前は、例えば画像読取り装置１に予め備えられた白基準板や、原稿トレイ１１に置かれた原稿の最初の部分等を白基準板として読み取ってシェーディングデータ作成部１３ｂへ出力する。シェーディングデータ作成後は、原稿トレイ１１に置かれた原稿上の画像情報を読み取って画像データとして出力する。
【００２０】
シェーディングデータ作成部１３ｂは、スキャナ部１３ａが白基準板から読み取った画像データに基づいて白シェーディングデータおよび黒シェーディングデータ等のシェーディング補正のためのシェーディングデータを作成して不揮発性メモリ１４に記憶する。
【００２１】
不揮発性メモリ１４は、後述する装置全体スリープ状態や本装置１自体の電源がオフしても記憶したデータを失わない不揮発性の半導体で構成されており、シェーディングデータ作成部１３ｂによって作成されたシェーディングデータを記憶する。
【００２２】
ＣＰＵ１５は、後述するプログラムメモリ７に記憶されたプログラムを実行することにより画像読取り装置全体を制御すると共に、後述するように本発明の電源制御手段として機能する。
【００２３】
メインメモリ１６は、ＲＡＭ等から構成され、ＣＰＵ１５が各種処理を実行する際、各種データを記憶したり、演算する際の記憶エリアとして使用する。なお、メインメモリ１６が不揮発性のメモリである場合は、このメインメモリ１６をシェーディングデータ記憶用の不揮発性メモリ１４として機能させても良い。
【００２４】
プログラムメモリ１７は、ＣＰＵ１５が画像読取り装置全体を制御すると共に、本発明の電源制御手段として機能するためのプログラムが格納されている。
【００２５】
操作パネル２は、この孔版印刷装置３の電源スイッチや、印刷濃度等の各種印刷設定や印刷枚数等を指定する各種設定キーとテンキーの他に、孔版印刷で使用するマスタ（原版）の作成開始を指示する製版スタートスイッチ２１と、マスタ（原版）に基づいて孔版印刷の開始を指示する印刷スタートスイッチ２２と、後述するスリープ状態を解除するためのスリープ解除スイッチ２３等を備えている。
【００２６】
孔版印刷装置３は、孔版印刷で使用するマスタ（原版）を作成する製版処理部３１と、製版処理部３１が作成したマスタ（原版）に基づいて孔版印刷を実行する孔版印刷部３２等を備える。
【００２７】
（画像読取り装置の作用）
次に、以上のように構成された画像読取り装置の動作について説明する。
【００２８】
図２は、本発明に係る実施例の画像読取り装置の動作を示すフローチャートである。
【００２９】
画像読取り装置１では、原稿検出センサ１２が常に原稿トレイ１１上に原稿が置かれるか否かを検知している（ステップＳ１０１）。
【００３０】
原稿トレイ１１に原稿が置かれ、原稿検出センサ１２が原稿を検知すると（ステップＳ１０１“ＹＥＳ”）、ＣＰＵ１５は、画像読取部１３がスリープ状態にあればその電源をオンして（ステップＳ１０３）、原稿トレイ１１に置かれた原稿を読取らせる。具体的には、まず、スキャナ部１３ａが本装置に予め備えられた白基準板または原稿の最初の部分等を白基準板としてスキャンして（ステップＳ１０５）、その白基準板から読取った画像データをＡ／Ｄ変換部１３ａ２がＡ／Ｄ変換してシェーディングデータ作成部１３ｂへ出力する。
【００３１】
シェーディングデータ作成部１３ｂでは、Ａ／Ｄ変換された画像データに対して、画像センサ１３ａ１の各読取画素の感度ばらつきや、ランプの照度分布ばらつき等を画像から除く処理であるシェーディング補正のためのシェーディングデータを作成し（ステップＳ１０７）、作成したシェーディングデータを不揮発性メモリ１４に記憶する（ステップＳ１０９）。
【００３２】
次に、ＣＰＵ１５は、電源制御手段として機能して、タイマ等に基づいて経過時間のカウントを開始する（ステップＳ１１１）。具体的には、第１の所定時間ｔ１が経過するまでの間に（ステップＳ１１７“ＮＯ”）、原稿トレイ１１から原稿が抜かれるか否かを判定すると共に（ステップＳ１１３）、製版スタートスイッチ２１が押されるか否かを判定する（ステップＳ１１５）。なお、第１の所定時間ｔ１は、例えば、３０秒とか６０秒などの短い時間である。
【００３３】
ここで、シェーディングデータ作成部１３ｂが作成したシェーディングデータを不揮発性メモリ１４に記憶した後、第１の所定時間ｔ１が経過するまでの間に（ステップＳ１１７“ＮＯ”）、原稿トレイ１１から原稿が取り除かれた場合（ステップＳ１１３“ＹＥＳ”）、ユーザが原稿を置き換え、置き換えた新たな原稿についてシェーディング補正を行う可能性が高いため、ＣＰＵ１５は、不揮発性メモリ１４に記憶したシェーディングデータを削除して（ステップＳ１１９）、再度、原稿トレイ１１に原稿が置かれるか否かを原稿検出センサ１２に確認させる（ステップＳ１０１）。
【００３４】
これに対し、シェーディングデータ作成部１３ｂが作成したシェーディングデータを不揮発性メモリ１４に記憶した後、第１の所定時間ｔ１が経過するまでの間に（ステップＳ１１７“ＮＯ”）、原稿トレイ１１から原稿が取り除かれず（ステップＳ１１３“ＮＯ”）、操作パネル１２の製版スタートスイッチ１２ａが押された場合（ステップＳ１１５“ＹＥＳ”）、原稿トレイ１１に置かれた原稿により孔版印刷を実行する場合であるため、ＣＰＵ１５は、孔版印刷装置３の製版処理部３１に製版処理開始の指示を出力する（ステップＳ１２１）。
【００３５】
すると、製版処理部３１は、画像処理部１３に対し原稿トレイ１１に置かれた原稿の読取り指示を出力して、画像処理部１３に原稿を引き込ませてその画像データを読み取らせると共に、さらに不揮発性メモリ１４からシェーディングデータを読み出し、シェーディングデータに基づいて原稿の画像データに対しシェーディング補正を実行させ、シェーディング補正された原稿の画像データに基づいて製版処理を実行する。
【００３６】
その後、ユーザによって印刷スタートスイッチ２２が押されると（ステップＳ１２３“ＹＥＳ”）、孔版印刷部３２が孔版印刷を実行する（ステップＳ１２５）。なお、孔版印刷装置３における製版処理部３１の製版処理や孔版印刷部３２の孔版印刷は周知であるので、説明を省略する。
【００３７】
一方、シェーディングデータ作成部１３ｂが作成したシェーディングデータを不揮発性メモリ１４に記憶した後、原稿トレイ１１から原稿が取り除かれず（ステップＳ１１３“ＮＯ”）、かつ、操作パネル１２の製版スタートスイッチ１２ａも押されずに（ステップＳ１１５“ＮＯ”）、第１の所定時間ｔ１が経過した場合（ステップＳ１１７“ＹＥＳ”）、図３に示すスリープ状態に移行する。
【００３８】
図３は、図２におけるステップＳ１１７においてＹＥＳと判定された以降のスリープ状態の処理を示すフローチャートである。
【００３９】
シェーディングデータ作成部１３ｂが作成したシェーディングデータを不揮発性メモリ１４に記憶した後、原稿トレイ１１から原稿が取り除かれず（ステップＳ１１３“ＮＯ”）、かつ、操作パネル１２の製版スタートスイッチ１２ａも押されずに（ステップＳ１１５“ＮＯ”）、第１の所定時間ｔ１が経過した場合（ステップＳ１１７“ＹＥＳ”）、ＣＰＵ１５は、まず、画像処理部１３の電源のみをオフして（ステップＳ１２７）、画像処理部スリープ状態に移行する。そのため、画像処理部１３を構成するスキャナ部１３ａやシェーディングデータ作成部１３ｂへの電源の供給がオフされる。
【００４０】
その結果、画像読取り装置１内で比較的消費電力の高いスキャナ部１３ａ等を備えた画像処理部１３への電源供給がなくなるため、スキャナ部１３ａ等がオン状態のまま長時間待機することによる無駄な消費電力を抑えることができる。なお、シェーディングデータ作成部１３ｂが画像処理部１３内のバッファや揮発性メモリ等に記憶しておいたシェーディングデータは、消去されるが、不揮発性メモリ１４に退避して記憶させておいたシェーディングデータは消去されることはない。
【００４１】
また、ＣＰＵ１５は、画像処理部スリープ状態に移行後、スリープ時間をカウントして（ステップＳ１２９）、第２の所定時間ｔ２が経過するまでの間に（ステップＳ１３９“ＮＯ”）、原稿トレイ１１から原稿が抜かれるか否かを判定すると共に（ステップＳ１３１）、製版スタートスイッチ２１が押されるか否かを判定する（ステップＳ１３３）。なお、第２の所定時間ｔ２は、例えば、ステップＳ１１７における第１の所定時間ｔ１よりも長く、例えば、５分や１０分である。
【００４２】
ここで、画像処理部１３の電源をオフして画像処理部スリープ状態に移行した後、第２の所定時間ｔ２が経過するまでの間に（ステップＳ１３９“ＮＯ”）、原稿トレイ１１から原稿が取り除かれた場合（ステップＳ１１３“ＹＥＳ”）、ユーザが原稿を置き換える可能性が高いため、ＣＰＵ１５は、不揮発性メモリ１４に記憶したシェーディングデータを削除して（ステップＳ１１９）、再度、原稿トレイ１１に原稿が置かれるか否かを原稿検出センサ１２に確認させる（ステップＳ１０１）。
【００４３】
一方、画像処理部１３の電源をオフして画像処理部スリープ状態に移行した後、第２の所定時間ｔ２が経過するまでの間に（ステップＳ１３９“ＮＯ”）、原稿トレイ１１から原稿が取り除かれず（ステップＳ１３１“ＮＯ”）、操作パネル１２の製版スタートスイッチ１２ａが押された場合（ステップＳ１３３“ＹＥＳ”）、原稿トレイ１１に一度置かれた後取り除かれた原稿により製版を実行する可能性が高いため、ＣＰＵ１５は、画像処理部１３の電源をオンして（ステップＳ１３５）、不揮発性メモリ１４に記憶されたシェーディングデータを読み込む（ステップＳ１３７）。なお、不揮発性メモリ１４に記憶されたシェーディングデータを読み込む場合、画像処理部１３は画像スリープ状態にあっても問題ないので、ステップＳ１３５の画像処理部１３の電源をオンする処理は、省略しても良い。また、ステップＳ１３５の画像処理部１３の電源をオンする処理を省略することにより、より消費電力の低減をはかることができる。
【００４４】
そして、ステップＳ１３７の処理の後は、図２のステップＳ１２１へ移行して、上述のように孔版印刷装置３の製版処理部３１に製版処理を実行させたり、孔版印刷部３２に対し孔版印刷を実行させたりする。
【００４５】
一方、画像処理部１３の電源をオフして画像処理部スリープ状態に移行した後、原稿トレイ１１から原稿が取り除かれず（ステップＳ１３１“ＮＯ”）、かつ、操作パネル１２の製版スタートスイッチ１２ａも押されずに（ステップＳ１３３“ＮＯ”）、５分や１０分等の第２の所定時間ｔ２が経過した場合（ステップＳ１３９“ＹＥＳ”）、ＣＰＵ１５は、画像処理部１３だけでなく、原稿検出センサ１２を除く画像読取り装置１全体の電源をオフして（ステップＳ１４１）、装置全体スリープ状態に移行する。つまり、ＣＰＵ１５もスリープ状態に移行する。
【００４６】
そして、装置全体スリープ状態に移行後、原稿トレイ１１から原稿が取り除かれた場合（ステップＳ１４３“ＹＥＳ”）、ユーザが原稿を置き換える可能性が高いため、ＣＰＵ１５は、原稿検出センサ１２の検出出力に基づいて画像読取り装置１全体の電源をオン、すなわち画像読取り装置１全体のスリープ状態を解除して、ステップＳ１１９の処理へ移行する。つまり、不揮発性メモリ１４に記憶したシェーディングデータを削除し（ステップＳ１１９）、再度、原稿トレイ１１に原稿が置かれるか否かを原稿検出センサ１２に確認させる（ステップＳ１０１）。
【００４７】
これに対し、装置全体スリープ状態に移行後、原稿トレイ１１から原稿が取り除かれず（ステップＳ１４３“ＮＯ”）、かつ、操作パネル１２のスリープ解除スイッチ１２ｂが押された場合（ステップＳ１４５“ＹＥＳ”）、原稿トレイ１１に置かれた原稿により孔版印刷を実行する場合であるため、ＣＰＵ１５は、画像読取り装置１全体の電源をオン、すなわち画像読取り装置１全体のスリープ状態を解除して（ステップＳ１４９）、ステップＳ１２９の処理へ移行する。
【００４８】
つまり、ＣＰＵ１５は、画像読取り装置１全体のスリープ状態からの復帰後は、ステップＳ１２７によって画像処理部スリープ状態に入った場合と同様に、再度、スリープ時間をカウントして（ステップＳ１２９）、第２の所定時間ｔ２が経過するまでの間に（ステップＳ１３９“ＮＯ”）、原稿トレイ１１から原稿が抜かれるか否かを判定すると共に（ステップＳ１３１）、製版スタートスイッチ２１が押されるか否かを判定して（ステップＳ１３３）、上述の処理を再度行う。
【００４９】
従って、本発明に係る実施例の画像読取り装置１によれば、原稿トレイ１１に原稿が載置され、画像処理部１３によってシェーディングデータが作成されると、そのシェーディングデータを不揮発性メモリ１４に記憶し、その時点から経過時間をカウントして、原稿トレイ１１から原稿が取り除かれず、かつ、操作パネル１２の製版スタートスイッチ１２ａも押されずに３０秒等の短い第１の所定時間が経過した場合、図３に示すステップＳ１２７の処理によって画像処理部１３の電源をオフする画像処理部スリープ状態へ移行する。
【００５０】
そのため、画像処理部スリープ状態によって消費電力の大きいスキャナ部１３ａへ電力が供給されなくなるので、省電力を図ることができる。また、画像処理部１３の電源をオフしても、シェーディングデータは消去されずに不揮発性メモリ１４に記憶されているので、画像処理部スリープ状態からの復帰後、すぐに不揮発性メモリ１４に記憶されたシェーディングデータに基づいて画像データに対しシェーディング補正を行い、その後、シェーディング補正された画像データに基づいて製版処理を実行できる。
【００５１】
その結果、ユーザの利便性を損なうことなく、消費電力も抑えることができる。
【００５２】
また、本発明に係る実施例の画像読取り装置１では、図３に示すステップＳ１２７の処理によって画像処理部１３の電源をオフする画像処理部スリープ状態へ移行後、スリープ時間をカウントして、原稿トレイ１１から原稿が取り除かれず、かつ、操作パネル１２の製版スタートスイッチ１２ａも押されずに５分や１０分等の長い第２の所定時間ｔ２が経過した場合、原稿検出センサ１２を除く画像読取り装置１全体の電源をオフする装置全体スリープ状態へ移行する。
【００５３】
そのため、装置全体スリープ状態によって原稿検出センサ１２を除く画像読取り装置１全体の電源がオフするので、画像処理部１３だけの電源をオフする画像処理部スリープ状態よりも消費電力の削減を図ることができる。また、装置全体スリープ状態になっても、シェーディングデータは消去されずに不揮発性メモリ１４に記憶されるので、装置全体スリープ状態からの復帰後、すぐに不揮発性メモリ１４に記憶されたシェーディングデータに基づいて画像データに対しシェーディング補正を行い、シェーディング補正された原稿の画像データに基づいて製版処理を実行できる。
【００５４】
その結果、本発明に係る実施例の画像読取り装置１では、２段階でスリープ状態へ移行、すなわち第１の所定時間ｔ１の経過によりまずは画像処理部１３だけの電源をオフする画像処理部スリープ状態へ移行し、さらに第２の所定時間ｔ２を経過した場合、原稿検出センサ１２を除く画像読取り装置１全体の電源をオフする装置全体スリープ状態へ移行するので、さらにユーザの利便性を損なうことなく、消費電力を効果的に抑えることができる。
【００５５】
ただし、画像処理部スリープ状態の場合、電源がオフしているのは画像処理部１３だけであり、ＣＰＵ１５等は電源が供給されていてアクティブな状態にある一方、装置全体スリープ状態の場合、原稿検出センサ１２を除く画像読取り装置１全体の電源がオフして、ＣＰＵ１５等へも電源がオフされているので、装置全体スリープ状態よりも画像処理部スリープ状態からの復帰の方がより短時間で製版処理等の次に処理に入ることができる。
【符号の説明】
【００５６】
１…画像読取り装置
１１…原稿トレイ
１２…原稿検出センサ（原稿検出手段）
１３…画像処理部
１３ａ…スキャナ部
１３ａ１…画像センサ（画像読取り手段）
１３ａ２…Ａ／Ｄ変換部
１３ｂ…シェーディングデータ作成部（画像処理手段）
１４…不揮発性メモリ
１５…ＣＰＵ（電源制御手段）
１６…メインメモリ
１７…プログラムメモリ
２…操作パネル
２１…製版スタートスイッチ
２２…スリープ解除スイッチ
２３…印刷スタートスイッチ
３…孔版印刷装置
３１…製版処理部
３２…孔版印刷部
【図１】
2016032231.tif 000003
【図２】
2016032231.tif 000004
【図３】
2016032231.tif 000005